【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
映像及び音声が多重化された複数のデジタルビットストリームを連続して再生する場合、
その映像及び音声が多重化された複数のデジタルビットストリームを記録媒体から読み出し、その映像及び音声が多重化された複数のデジタルビットストリームの接続点にダミーデータを挿入するダミーデータ挿入手段と、
前記ダミーデータ挿入手段によりダミーデータが挿入された映像及び音声が多重化されたデジタルビットストリームを、映像デジタルビットストリームと音声デジタルビットストリームとに分離する場合に、前記ダミーデータを検出し、その検出したダミーデータに基づき前記映像デジタルビットストリームに接続点を特定する特定データを挿入する特定データ挿入手段と、
前記映像デジタルビットストリーム中の特定データを検出する特定データ検出手段と、
前記特定データ検出手段で特定データが検出された場合は、前記デジタルビットストリームのデコード処理を初期化する映像デコード手段と、
を備えるデジタル再生装置。
【請求項２】
映像デジタルビットストリーム信号がＨ．２６４形式であることを特徴とする、請求項１に記載のデジタル再生装置。
【請求項３】
前記特定データ挿入手段によって映像ビットストリームに挿入される特定データが、Ｈ．２６４規格上未定義または将来拡張用のＩＤを持つＮＡＬ（ＮｅｔｗｏｒｋＡｂｓｔｒａｃｔｉｏｎＬａｙｅｒ）ユニットのスタートコードを含むことを特徴とする、請求項１または２に記載のデジタル再生装置。
【請求項４】
前記特定データ挿入手段によって映像ビットストリームに挿入される特定データに、長さNビットのビット列”0”を含むことを特徴とする、請求項１から３のいずれかに記載のデジタル再生装置。
【請求項５】
映像ビットストリーム中に挿入された特定データを検出したことを制御手段に通知し、制御手段は次にＳＰＳ（ＳｅｑｕｅｎｃｅＰａｒａｍｅｔｅｒＳｅｔ）またはＩＤＲピクチャを検出するまで映像ビットストリームを読み飛ばした後、前記接続されたストリームをデコードするように制御することを特徴とする請求項１から４のいずれかに記載のデジ
タル再生装置。
【請求項６】
映像及び音声が多重化された複数のデジタルビットストリームを連続して再生する場合、
その映像及び音声が多重化された複数のデジタルビットストリームを記録媒体から読み出し、その映像及び音声が多重化された複数のデジタルビットストリームの接続点にダミーデータを挿入するダミーデータ挿入ステップと、
前記ダミーデータ挿入によりダミーデータが挿入された映像及び音声が多重化されたデジタルビットストリームを、映像デジタルビットストリームと音声デジタルビットストリームとに分離する場合に、前記ダミーデータを検出し、その検出したダミーデータに基づき前記映像デジタルビットストリームに接続点を特定する特定データを挿入する特定データ挿入ステップと、
前記映像デジタルビットストリーム中の特定データを検出する特定データ検出ステップと、
前記特定データ検出ステップで特定データが検出された場合は、前記デジタルビットストリームのデコード処理を初期化する映像デコードステップと、
を備える、プログラム。
【請求項７】
映像デジタルビットストリーム信号がＨ．２６４形式であることを特徴とする請求項６に記載のプログラム。
【請求項８】
特定データ挿入ステップによって映像ビットストリームに挿入されるデータが、Ｈ．２６４規格上未定義または将来拡張用のＩＤを持つＮＡＬユニットのスタートコードを含むことを特徴とする請求項６または７に記載のプログラム。
【請求項９】
特定データ挿入ステップによって挿入されるデータに、長さNビットのビット列”0”を含むことを特徴とする請求項６から８のいずれかに記載のプログラム。
【請求項１０】
映像ビットストリーム中に挿入された特定データを検出したことを制御ステップに通知し、制御ステップは次にＳＰＳまたはＩＤＲピクチャを検出するまで映像ビットストリームを読み飛ばした後、前記接続されたストリームをデコードするように制御することを特徴とする請求項６から９のいずれかに記載のプログラム。
【手続補正２】
【補正対象書類名】明細書
【補正対象項目名】００１２
【補正方法】変更
【補正の内容】
【００１２】
本発明の第１の発明は、映像及び音声が多重化された複数のデジタルビットストリームを連続して再生する場合、その映像及び音声が多重化された複数のデジタルビットストリームを記録媒体から読み出し、その映像及び音声が多重化された複数のデジタルビットストリームの接続点にダミーデータを挿入するダミーデータ挿入手段と、前記ダミーデータ挿入手段によりダミーデータが挿入された映像及び音声が多重化されたデジタルビットストリームを、映像デジタルビットストリームと音声デジタルビットストリームとに分離する場合に、前記ダミーデータを検出し、その検出したダミーデータに基づき前記映像デジタルビットストリームに接続点を特定する特定データを挿入する特定データ挿入手段と、前記映像デジタルビットストリーム中の特定データを検出する特定データ検出手段と、前記特定データ検出手段で特定データが検出された場合は、前記デジタルビットストリームのデコード処理を初期化する映像デコード手段とを備えることを特徴とするデジタル再生装置であり、前記特定データを前記映像デコード手段で検出することにより、接続された２つのビットストリームの接続点を確実に映像デコーダに伝えるという作用を有する。
【手続補正３】
【補正対象書類名】明細書
【補正対象項目名】００１３
【補正方法】変更
【補正の内容】
【００１３】
本発明の第２の発明は、請求項１と同様の構成で、記録媒体に記録された映像デジタルビットストリーム信号がＨ．２６４形式で圧縮されていることを特徴とするデジタル再生装置である。
【手続補正４】
【補正対象書類名】明細書
【補正対象項目名】００１４
【補正方法】変更
【補正の内容】
【００１４】
本発明の第３の発明は、上記請求項１または２と同様の構成であり、特定データ挿入手段によって挿入されるデータが、Ｈ．２６４規格上未定義または将来拡張用のＩＤを持つＮＡＬ（Ｎｅｔｗｏｒｋ  Ａｂｓｔｒａｃｔｉｏｎ  Ｌａｙｅｒ）ユニットのスタートコードを含むことを特徴とするデジタル再生装置である。
【手続補正５】
【補正対象書類名】明細書
【補正対象項目名】００１５
【補正方法】変更
【補正の内容】
【００１５】
本発明の第４の発明は、上記請求項１から３のいずれかと同様の構成であり、特定データ挿入手段によって挿入されるデータに、長さNビットのビット列”0”を含むことを特徴とするデジタル再生装置である。
【手続補正６】
【補正対象書類名】明細書
【補正対象項目名】００１６
【補正方法】変更
【補正の内容】
【００１６】
本発明の第５の発明は、上記請求項１から４のいずれかと同様の構成であり、映像ビットストリーム中に挿入された特定データを検出したことを制御手段に通知し、制御手段は次にＳＰＳ（Ｓｅｑｕｅｎｃｅ  Ｐａｒａｍｅｔｅｒ  Ｓｅｔ）またはＩＤＲピクチャを検出するまで映像ビットストリームを飛ばしてから、前記接続されたストリームをデコードするように制御することを特徴とするデジタル再生装置である。
【手続補正７】
【補正対象書類名】明細書
【補正対象項目名】００１７
【補正方法】変更
【補正の内容】
【００１７】
本発明の第６の記載の発明は、映像及び音声が多重化された複数のデジタルビットストリームを連続して再生する場合、その映像及び音声が多重化された複数のデジタルビットストリームを記録媒体から読み出し、その映像及び音声が多重化された複数のデジタルビットストリームの接続点にダミーデータを挿入するダミーデータ挿入ステップと、前記ダミーデータ挿入によりダミーデータが挿入された映像及び音声が多重化されたデジタルビットストリームを、映像デジタルビットストリームと音声デジタルビットストリームとに分離する場合に、前記ダミーデータを検出し、その検出したダミーデータに基づき前記映像デジタルビットストリームに接続点を特定する特定データを挿入する特定データ挿入ステップと、前記映像デジタルビットストリーム中の特定データを検出する特定データ検出ステップと、前記特定データ検出ステップで特定データが検出された場合は、前記デジタルビットストリームのデコード処理を初期化する映像デコードステップと、を備えるプログラムである。
【手続補正８】
【補正対象書類名】明細書
【補正対象項目名】００１８
【補正方法】変更
【補正の内容】
【００１８】
本発明の第７の発明は、請求項６と同様の構成で、映像デジタルビットストリーム信号がＨ．２６４形式であることを特徴とするプログラムである。
【手続補正９】
【補正対象書類名】明細書
【補正対象項目名】００１９
【補正方法】変更
【補正の内容】
【００１９】
本発明の第８の発明は、上記請求項６または７のいずれかと同様の構成であり、特定データ挿入手段によって挿入されるデータが、Ｈ．２６４規格上未定義または将来拡張用のＩＤを持つＮＡＬ（Ｎｅｔｗｏｒｋ  Ａｂｓｔｒａｃｔｉｏｎ  Ｌａｙｅｒ）ユニットのスタートコードを含むことを特徴とするプログラムである。
【手続補正１０】
【補正対象書類名】明細書
【補正対象項目名】００２０
【補正方法】変更
【補正の内容】
【００２０】
本発明の第９の発明は、上記請求項６から８のいずれかと同様の構成であり、特定データ挿入手段によって挿入されるデータに、長さNビットのビット列”0”を含むことを特徴とするプログラムである。
【手続補正１１】
【補正対象書類名】明細書
【補正対象項目名】００２１
【補正方法】変更
【補正の内容】
【００２１】
本発明の第１０の発明は、上記請求項６から９のいずれかと同様の構成であり、映像ビットストリーム中に挿入された特定データを検出したことを制御手段に通知し、制御手段は次にＳＰＳ（Ｓｅｑｕｅｎｃｅ  Ｐａｒａｍｅｔｅｒ  Ｓｅｔ）またはＩＤＲピクチャを検出するまで映像ビットストリームを飛ばしてから、前記接続されたストリームをデコードするように制御することを特徴とするプログラムである。